(57)【特許請求の範囲】
【請求項１】
入出力カードが挿入された入出力カードネストに設けられた二重化用ユニットにおいて、
二重化されていない既存の前記入出力カードネストに取付けられた取付けパネルと、
この取付けパネルに設けられた第１の中継プリント基板と、
この第１の中継プリント基板の一方の端縁に設けられ上位制御システムからの第１の信号ケーブルの雌コネクタがコネクタ接続される第１の信号ケーブル用雄コネクタと、
前記第１の中継プリント基板の他方の端縁に設けられ前記第１の中継プリント基板を介して前記第１の信号ケーブル用雄コネクタと電気的に接続され且つ前記入出力カードに電気的に接続される第１の入出力カード中継コネクタと、
前記第１の中継プリント基板と共に一個のユニットを構成するように前記第１の中継プリント基板が取り付けられたと同一の前記取付けパネルに設けられた第２の中継プリント基板と、
この第２の中継プリント基板の一方の端縁に設けられ上位制御システムからの第２の信号ケーブルの雌コネクタがコネクタ接続される第２の信号ケーブル用雄コネクタと、
前記第１の中継プリント基板と前記第２の中継プリント基板とを電気的に接続する電気接続手段と、
を具備したことを特徴とする二重化用ユニット。
【請求項２】
前記電気接続手段は、フレキシブルフラットケーブルが使用されたこと
を特徴とする請求項１記載の二重化用ユニット。
【発明の詳細な説明】
【技術分野】
【０００１】
本発明は、二重化用ユニットに関するものである。
更に詳述すれば、フィールド側の配線を変更することなく、入出力ネストの上位制御システムとの接続箇所を交換する事で、制御信号の２重化や安全計装などの上位制御システムの機能に容易に、安価に対応できる二重化用ユニットに関するものである。
【背景技術】
【０００２】
図４は従来より一般に使用されている従来例の要部構成説明図である。
図において、１は信号が二重化されていないシングル動作を有する上位制御システムである。
上位制御システムは、この場合は、分散化制御システムが使用されている。
２はフィールド側の複数の入出力カードで、入出力カードネスト３に挿入されている。
接続ケーブル４は、上位制御システム１と入出力カードネスト３を介して入出力カード２とを電気的に接続されている。
【０００３】
図５は従来より一般に使用されている従来例の要接続ケーブル部構成説明図である。
図において、１１は信号が二重化されている上位制御システムである。
上位制御システムは、この場合は、分散化制御システムが使用されている。
１２はフィールド側の複数の入出力カードで、入出力カードネスト１３に挿入されている。
接続ケーブル１４，１５は、上位制御システム１１と入出力カードネスト１３を介して入出力カード１２とを電気的に接続されている。
【先行技術文献】
【特許文献】
【０００４】
【特許文献１】特開平１１−０４６０８２号公報
【特許文献２】特開平１１−１６７４０２号公報
【特許文献３】特開２００２−０９１５０９号公報
【発明の概要】
【発明が解決しようとする課題】
【０００５】
このような装置においては、以下の問題点がある。
従来においては、二重化された、図５従来例では、扱える入出力カードの種類（信号）に制限がある。
一方、図４従来例では、多種類の入出力カードを扱うことが出来るので、従来においては、重要なループ以外は、シングル動作のループが採用された。
【０００６】
しかし、近時においては、上位制御システムにおいては、信号の二重化が通常に採用される。
また、安全計装においては、信号の二重化が要望される。
【０００７】
しかしながら、全ループの二重化の対応が必要になっても、図４従来例に対しては、フィールド側の、入出力カードネストの変更や現場配線の変更等の更新をしなければ対応出来ず、大規模な変更が必要である。
また、単純に、上位制御システムに入出力カード２重化用の接続ユニットを追加接続しても、入出力カードネストが２重化に対応していない為に、２重化は出来ない。
【０００８】
本発明の目的は、上記の課題を解決するもので、フィールド側の配線を変更することなく、入出力ネストの上位制御システムとの接続箇所を交換する事で、制御信号の２重化や安全計装などの上位制御システムの機能に容易に、安価に対応できる二重化用ユニットを提供することにある。
【課題を解決するための手段】
【０００９】
このような課題を達成するために、本発明では、請求項１の二重化用ユニットにおいては、
入出力カードが挿入された入出力カードネストに設けられた二重化用ユニットにおいて、二重化されていない既存の前記入出力カードネストに取付けられた取付けパネルと、この取付けパネルに設けられた第１の中継プリント基板と、この第１の中継プリント基板の一方の端縁に設けられ上位制御システムからの第１の信号ケーブルの雌コネクタがコネクタ接続される第１の信号ケーブル用雄コネクタと、前記第１の中継プリント基板の他方の端縁に設けられ前記第１の中継プリント基板を介して前記第１の信号ケーブル用雄コネクタと電気的に接続され且つ前記入出力カードに電気的に接続される第１の入出力カード中継コネクタと、前記第１の中継プリント基板と共に一個のユニットを構成するように前記第１の中継プリント基板が取り付けられたと同一の前記取付けパネルに設けられた第２の中継プリント基板と、この第２の中継プリント基板の一方の端縁に設けられ上位制御システムからの第２の信号ケーブルの雌コネクタがコネクタ接続される第２の信号ケーブル用雄コネクタと、前記第１の中継プリント基板と前記第２の中継プリント基板とを電気的に接続する電気接続手段と、を具備したことを特徴とする。
【００１０】
本発明の請求項２の二重化用ユニットにおいては、請求項１記載の二重化用ユニットにおいて、
前記電気接続手段は、フレキシブルフラットケーブルが使用されたことを特徴とする。
【発明の効果】
【００１１】
本発明の請求項１によれば、次のような効果がある。
二重化されていない既存の入出力カードネストに取り付けパネルを用いて、二重化用ユニットが取り付けられるようにしたので、既存の入出力カードネストの構成に制約されることなく、二重化に容易に対応でき、フィールド側の配線を変更することなく、入出力ネストの上位制御システムとの接続箇所を交換する事で、制御信号の２重化や安全計装などの上位制御システムの機能に容易に、安価に対応できる二重化用ユニットが得られる。
【００１２】
本発明の請求項２によれば、次のような効果がある。
電気接続手段は、フレキシブルフラットケーブルが使用されたので、フレキシブルフラットケーブルは市場性があり、容易に安価な二重化用ユニットが得られる。
【図面の簡単な説明】
【００１３】
【図１】本発明の一実施例の要部構成説明図である。
【図２】図１の一使用例説明図である。
【図３】図１の他の使用例説明図である。
【図４】従来より一般に使用されている従来例の要部構成説明図である。
【図５】従来より一般に使用されている他の従来例の要部構成説明図である。
【発明を実施するための形態】
【００１４】
以下本発明を図面を用いて詳細に説明する。
図１は本発明の一実施例の要部構成説明図で、（ａ）は正面図、（ｂ）は側面図、（ｃ）は平面図である。
図２，図３は図１の使用例説明図である。
図において、図４，図５と同一記号の構成は同一機能を表す。
以下、図４，図５との相違部分のみ説明する。
【００１５】
図１において、取付けパネル２１は、入出力カードネスト３に取付けられている。
第１の中継プリント基板２２は、取付けパネル２１に設けられている。
この場合は、取付けパネル２１にねじ止め２２１されている。
第１の信号ケーブル用雄コネクタ２３は、第１の中継プリント基板２２の一方の端縁に設けられ上位制御システム１からの第１の信号ケーブル２４の雌コネクタがコネクタ接続される。
【００１６】
第１の入出力カード中継コネクタ２５は、第１の中継プリント基板２２の他方の端縁に設けられ、第１の中継プリント基板２２を介して、第１の信号ケーブル用雄コネクタ２３と電気的に接続され、且つ、入出力カード２に電気的に接続される。
【００１７】
第２の中継プリント基板２６は、取付けパネル２１に設けられている。
この場合は、取付けパネル２１にねじ止め２６１されている。
第２の信号ケーブル用雄コネクタ２７は、第２の中継プリント基板２６の一方の端縁に設けられ、上位制御システム１からの第２の信号ケーブル２８の雌コネクタがコネクタ接続される。
【００１８】
電気接続手段２９は、第１の中継プリント基板２２と第２の中継プリント基板２６とを電気的に接続する。
この場合は、電気接続手段２９は、フレキシブルフラットケーブルが使用されている。
【００１９】
以上の構成において、第１，第２の中継プリント基板２２，２５を、２重化、または、安全計装のそれぞれに対応出来るような回路配線にする。
二重化用ユニットを、既存の入出力カードネストの上位制御システム接続箇所と交換する。
【００２０】
この結果、入出力カードのフィールド側の配線を変更することなく、二重化用ユニットを使用することで、二重化機能を有する上位システムに対して、シングル機能しか有しなかった下位の入出力カードネストを、二重化機能を有する入出力カードネストに機能向上できる二重化用ユニットが得られる。
【００２１】
電気接続手段は、フレキシブルフラットケーブル２９が使用されたので、フレキシブルフラットケーブルは市場性があり、容易に安価な二重化用ユニットが得られる。
【００２２】
図２は、本発明ユニットの一使用例の要部構成説明図である。
二重化ユニット２０を、二重化された上位制御システム１１に対応して、入出力カードネスト３に取り付けられた例である。
【００２３】
図３は、本発明ユニットの他の使用例の要部構成説明図である。
二重化ユニット２０を、二重化された上位安全計装システム３１に対応して、入出力カードネスト３に取り付けられた例である。
３２，３３は、上位安全計装システム３１と二重化ユニット２０とを接続する接続ケーブルである。
【００２４】
なお、以上の説明は、本発明の説明および例示を目的として特定の好適な実施例を示したに過ぎない。
したがって本発明は、上記実施例に限定されることなく、その本質から逸脱しない範囲で更に多くの変更、変形をも含むものである。
【符号の説明】
【００２５】
１      上位制御システム
２      入出力カード
３      入出力カードネスト
４      接続ケーブル
１１    上位制御システム
１２    入出力カード
１３    入出力カードネスト
１４    接続ケーブル
１５    接続ケーブル
２０    二重化ユニット
２１    取付けパネル
２２    第１の中継プリント基板
２２１  ねじ止め
２３    第１の信号ケーブル用雄コネクタ
２４    第１の信号ケーブル
２５    第１の入出力カード中継コネクタ
２６    第２の中継プリント基板
２６１  ねじ止め
２７    第２の信号ケーブル用雄コネクタ
２８    第２の信号ケーブル
２９    フレキシブルフラットケーブル
３１    上位安全計装システム
３２    接続ケーブル
３３    接続ケーブル
【図１】
0005561532.tif 000002
【図２】
0005561532.tif 000003
【図３】
0005561532.tif 000004
【図４】
0005561532.tif 000005
【図５】
0005561532.tif 000006